(57)【要約】【課題】  斜め補強部材の取付角度設定と、フック部材の吊りボルトへの掛止とを一連の作業で行い得るようにする。【解決手段】  斜め補強部材の上部を固定するための斜め補強部材用取付金具を、上記吊りボルトの上端部に当該吊りボルトを抱え込むように掛止されるとともに内面に吊りボルトが螺合される内ネジを形成してなる掛止部を備えたフック部材と、上記斜め補強部材の適所に一端が螺合されるネジ部と該ネジ部の他端側にあってピンまたはボルトが取り付けられた操作部とからなる操作部材と、上記フック部材における平板部に沿って上下動自在とされ且つ側面に上記操作部のピンまたはボルトを挿通ガイドする切欠穴を有する連係部材とによって構成し、上記操作部材を上方に移動させることにより、上記斜め補強部材の傾斜角度の設定と、上記フック部材への上記吊りボルトの掛止とを連動して行うようにした。【選択図】  図２
2015212503.tif 000002
【特許請求の範囲】
【請求項１】
建屋の天井側に設けられるスラブ（１）に懸垂された吊りボルト（２）と、該吊りボルト（２）に吊架された天井板材保持用の下地材（３）との間を連結補強する斜め補強部材（４）の上部を固定するための斜め補強部材用取付金具であって、上記吊りボルト（２）の上端部に当該吊りボルト（２）を抱え込むように掛止されるとともに内面に吊りボルト（２）が螺合される内ネジ（１１ｂ）を形成してなる掛止部（１１ａ）を備えたフック部材（１１）と、上記斜め補強部材（４）の適所に一端が螺合されるネジ部（１２ａ）と該ネジ部（１２ａ）の他端側にあってピンまたはボルト（１２ｃ）が取り付けられた操作部（１２ｂ）とからなる操作部材（１２）と、上記フック部材（１１）における平板部（１１ｃ）に沿って上下動自在とされ且つ側面に上記操作部（１２ｂ）のピンまたはボルト（１２ｃ）を挿通ガイドする切欠穴（１３ｃ）を有する連係部材（１３）とによって構成され、上記操作部材（１２）を上方に移動させることにより、上記斜め補強部材（４）の傾斜角度の設定と、上記フック部材（１１）の掛止部（１１ａ）への上記吊りボルト（３）の掛止とを連動して行い得るように構成したことを特徴とする斜め補強部材用取付金具。
【請求項２】
前記フック部材（１１）における反掛止部側には、前記連係部材（１３）をその上下動時にガイドする角状突部（１１ｄ）および円形突起（１１ｅ）を形成したことを特徴とする請求項１記載の斜め補強部材用取付金具。
【請求項３】
前記連係部材（１３）の上端には、前記斜め補強部材（４）の傾斜角度の設定時および前記フック部材（１１）への前記吊りボルト（２）の掛止時に前記スラブ（１）の下面に圧接される水平部（１３ｅ）が一体に形成されていることを特徴とする請求項１および２のいずれか一項記載の斜め補強部材用取付金具。
【発明の詳細な説明】
【技術分野】
【０００１】
本願発明は、斜め補強部材用取付金具に関し、さらに詳しくは天井下地構造において使用される斜め補強部材を取り付けるための斜め補強部材用取付金具に関するものである。
【背景技術】
【０００２】
従来型の天井下地構造としては、野縁と該野縁と直交する野縁受けとからなり、建物の構造体から吊りボルトで吊り下げて支持されたものがある(例えば、特許文献１参照) 。
【０００３】
ところで、上記構成の天井下地構造の場合、野縁に対して天井仕上げボードが専用のビスで取り付けられることとなっている。また、天井には、照明器具や空調機器等が建物の構造体から吊りボルト等で吊り下げられ、天井開口部に天井仕上げボード面と同じ高さで取り付けられており、建物の竣工後、通常は作業員が天井点検口から天井裏を覗いて照明器具や空調機器等の点検・修理を行うこととなっているが、劇場・ホールや体育館、工場等のように、天井に沢山の照明器具・空調機器等がある場合には、天井裏に人が歩けるぐらいの高さを取って、キャットウォークという点検・修理専用の狭い通路を設けることとなっている。但し、キャットウォークは、全ての天井面を網羅出来るように設置されているわけではないので、やむを得ず従来型の天井下地材の上を作業員が歩いて点検・修理を行っている場合がある。従来型の天井下地材は、人が野縁の上に乗れるような耐荷重構造となっていないので、吊りボルトと野縁あるいは野縁受けとを結合しているハンガーという金具が開いたり、野縁受けが倒れたりして、天井面がガタガタになったり、最悪の場合には、天井下地材と天井仕上げボードが落下してしまうという事故が発生するおそれがある。
【０００４】
そこで、複数の人が乗っても大丈夫なように、予じめ角形鋼を建物の構造体から吊り下げて、一定間隔に並べたぶどう棚という吊天井構造が採用されている。このような吊天井構造であっても、地震等の激しい揺れに対する耐振性が問題となる場合がある。
【０００５】
上記のような問題に対処するために、上記特許文献１に開示されているように、建物の構造体から吊りボルトで吊り下げて支持され、隣り合う吊りボルト同士を斜め補強部材であるブレース材（筋交い状の部材）で連結することにより、耐振性を強化することが考えられている。
【０００６】
この場合、ブレース材は、天井の左右方向および前後方向の２方向において、それぞれ上端側を吊りボルトの上端部に、下端側を天井板材保持用の下地材に強固に固定することにより、斜め補強されるため、前後左右の各方向の揺れが確実に抑制されることになる。
【０００７】
従来、ブレース材の上端側を吊りボルトに、下端側を天井板材保持用の下地材をそれぞれ固定する方法として、現場の溶接作業が実施されてきたが、このような溶接作業は、技術面で個人差があるので常に均一な強度が得られず、また、現場施工を高所で行う必要があるために、安全性に問題があるばかりか、余分な時間と労力を要するという不具合があった。
【０００８】
そのため、近年は、無溶接化を図るため、例えばブレース材の上端部を固定するための上部固定金具として、専用の掛止金具と羽子板ボルトとからなるものを採用し、掛止金具を吊りボルトに掛止し、この掛止金具に羽子板ボルトの一端側を螺着し、羽子板ボルトの他端側をブレース材にタッピングネジ等でネジ止めすることでブレース材の上端部を吊りボルトに固定するようにしている。
【０００９】
しかしながら、上記構成の上部固定金具の場合、掛止金具を介した吊りボルトとブレース材との傾斜角度が常に一定になるように予じめ掛止金具が形成されているため、天井ふところの変化に対応できなくなり、天井の揺れを確実に抑制することが難しく、業界の耐震基準等に合致しなくなるという新たな不具合が発生する。
【００１０】
その対策として、例えば、ブレース材に対する羽子板ボルトの取付角度を変えることによって、天井板材保持用の下地材に対するブレース材の取付角度を変更することは可能であるが、このようにブレース材に対して羽子板ボルトの取付角度を変えて固定した場合には、羽子板ボルトの軸方向とブレース材の延在方向とが一致しなくなるため、ブレース材に地震等による応力が加わると、ブレース材が座屈し易くなる。
【００１１】
そこで、ブレース材の上端部を固定する上部固定金具として、ボルトを締め付けることで吊りボルトを把持するクリッパ部材と、ブレース材にネジ止め固定される結合部材との間をピン等を介して揺動自在に連結し、ブレース材の天井板材保持用の下地材に対する取付角度を任意に調整できるようにした構造のものも提案されている。
【００１２】
しかしながら、上記したように、クリッパ部材と結合部材との間を揺動自在に連結した構成の場合、ブレース材の角度調整が可能になるという利点はあるものの、クリッパ部材を吊りボルトに固定するためには、クリッパ部材をボルトで締め付け固定する作業が必要となる。
【００１３】
また、建屋の天井側に設けられるスラブに懸垂された吊りボルトと、この吊りボルトに吊架された天井板材保持用の下地材との間を連結補強する斜め補強用のブレースを固定するブレース固定用の上部固定金具として、上記吊りボルトに当該吊りボルトを抱え込むように掛止されるフック部材と、上記ブレースに一端が固定される羽子板ボルトと、この羽子板ボルトの他端側に形成されたボルト部が螺合挿通される連結部材とを備え、かつ上記フック部材と上記連結部材とが連結ピンを介して揺動自在に連結された構成のものが既に提案されている（特許文献２参照）。
【先行技術文献】
【特許文献】
【００１４】
【特許文献１】特開２００８−０５０７８４号公報。
【特許文献２】実用新案登録第３１５９７６４号公報。
【発明の概要】
【発明が解決しようとする課題】
【００１５】
ところで、上記特許文献２に開示されている上部固定金具の場合、溶接作業を全く必要とせずにブレース材の上端部を吊りボルトに確実にかつ効率良く固定することができるとともに、現場の状況に応じてブレース材の取付角度を業界の耐震基準に沿った適切な範囲で自由に設定することができるという利点はあるものの、斜め補強用のブレース材を回すことによって吊りボルトに掛止されることになるが、斜め補強用のブレース材の下端が野縁受けと平行にならないと斜め補強用のブレース材と野縁受けとがビスで固定できない。また、斜め補強用のブレース材の下端が野縁受けと平行にならない場合は、平行になるように斜め補強用のブレース材を締め付ける方向とは逆に回して平行にしなければならないため、フック部材と吊りボルトの間にゆるみが生じてずれ落ちるという問題が生ずる。
【００１６】
本願発明は、上記のような課題を解決するためになされたものであり、斜め補強部材（即ち、斜め補強用のブレース材）の取付角度設定と、フック部材の吊りボルトへの掛止とを一連の作業で行い得るようにすることを目的としてなされたものである。
【課題を解決するための手段】
【００１７】
本願発明では、上記課題を解決するための第１の手段として、建屋の天井側に設けられるスラブ１に懸垂された吊りボルト２と、該吊りボルト２に吊架された天井板材保持用の下地材３との間を連結補強する斜め補強部材４の上部を固定するための斜め補強部材用取付金具において、上記吊りボルト２の上端部に当該吊りボルト２を抱え込むように掛止されるとともに内面に吊りボルト２が螺合される内ネジ１１ｂを形成してなる掛止部１１ａを備えたフック部材１１と、上記斜め補強部材４の適所に一端が螺合されるネジ部１２ａと該ネジ部１２ａの他端側にあってピンまたはボルト１２ｃが取り付けられた操作部１２ｂとからなる操作部材１２と、上記フック部材１１における平板部１１ｃに沿って上下動自在とされ且つ側面に上記操作部１２ｂのピンまたはボルト１２ｃを挿通ガイドする切欠穴１３ｃを有する連係部材１３とによって構成され、上記操作部材１２を上方に移動させることにより、上記斜め補強部材４の傾斜角度の設定と、上記フック部材１１への上記吊りボルト３の掛止とを連動して行い得るように構成している。
【００１８】
上記のように構成したことにより、操作部材１２を上方に移動させることにより、上記斜め補強部材４の傾斜角度の設定と、フック部材１１の吊りボルト２への掛止とを連動して行い得ることとなり、作業性が著しく向上する。しかも、上記掛止部には、吊りボルト２が螺合する内ネジ１１ｂが形成されているので、フック部材１１が吊りボルト２から不用意に脱落するということがなくなる。
【００１９】
本願発明では、さらに、上記課題を解決するための第２の手段として、上記第１の手段を備えた斜め補強部材用取付金具において、上記フック部材１１における反掛止部側に、上記連係部材１３をその上下動時にガイドする円形突起１１ｅを形成している。
【００２０】
このように構成した場合、連係部材１３が円形突起１１ｅにガイドされて、正確な動きをすることとなり、斜め補強部材４の傾斜角度の設定作業と、フック部材１１への吊りボルト２の掛止作業とをより一層確実に行うことができる。
【００２１】
本願発明では、さらに、上記課題を解決するための第３の手段として、上記第１又は第２の手段を備えた斜め補強部材用取付金具において、上記連係部材１３の上端には、斜め補強部材４の傾斜角度の設定時およびフック部材１１への吊りボルト２の掛止時に上記スラブ１の下面に圧接される水平部１３ｅが一体に形成されている。
【００２２】
このように構成した場合、斜め補強部材４の傾斜角度の設定時およびフック部材１１の吊りボルト２への掛止時に、連係部材１３の上端に形成された水平部１３ｅがスラブ１の下面に圧接されることとなり、上下および水平の地震の揺れに対して揺れにくくなって耐震性能が向上する。
【発明の効果】
【００２３】
本願発明の第１の手段によれば、建屋の天井側に設けられるスラブ１に懸垂された吊りボルト２と、該吊りボルト２に吊架された天井板材保持用の下地材３との間を連結補強する斜め補強部材４の上部を固定するための斜め補強部材用取付金具において、上記吊りボルト２の上端部に当該吊りボルト２を抱え込むように掛止されるとともに内面に吊りボルト２が螺合される内ネジ１１ｂを形成してなる掛止部１１ａを備えたフック部材１１と、上記斜め補強部材４の適所に一端が螺合されるネジ部１２ａと該ネジ部１２ａの他端側にあってピンまたはボルト１２ｃが取り付けられた操作部１２ｂとからなる操作部材１２と、上記フック部材１１における平板部１１ｃに沿って上下動自在とされ且つ側面に上記操作部１２ｂのピンまたはボルト１２ｃを挿通ガイドする切欠穴１３ｃを有する連係部材１３とによって構成され、上記操作部材１２を上方に移動させることにより、上記斜め補強部材４の傾斜角度の設定と、上記フック部材１１への上記吊りボルト２の掛止とを連動して行い得るように構成しているので、操作部材１２を上方に移動させることにより、上記斜め補強部材４の傾斜角度の設定と、フック部材１１の吊りボルト２への掛止とを連動して行い得ることとなり、作業性が著しく向上するという効果がある。しかも、上記掛止部１１ａには、吊りボルト２が螺合する内ネジ１１ｂが形成されているので、フック部材１１が吊りボルト２から不用意に脱落するということがなくなるという効果もある。
【００２４】
本願発明の第２の手段におけるように、上記第１の手段を備えた斜め補強部材用取付金具において、上記第１の手段を備えた斜め補強部材用取付金具において、上記フック部材１１における反掛止部側に、上記連係部材１３をその上下動時にガイドする円形突起１１ｅを形成した場合、連係部材１３が円形突起１１ｅにガイドされて、正確な動きをすることとなり、斜め補強部材４の傾斜角度の設定作業と、フック部材１１の吊りボルト２への掛止作業とをより一層確実に行うことができる。
【００２５】
本願発明の第３の手段におけるように、上記第１又は第２の手段を備えた斜め補強部材用取付金具において、上記連係部材１３の上端に、斜め補強部材４の傾斜角度の設定時およびフック部材１１の吊りボルト２への掛止時に上記スラブ１の面に圧接される水平部１３ｅを一体に形成した場合、斜め補強部材４の傾斜角度の設定時およびフック部材１１の吊りボルト２への掛止時に、連係部材１３の上端に形成された水平部１３ｅがスラブ１の下面に圧接されることとなり、上下および水平の地震の揺れに対して揺れにくくなって耐震性能が向上する。
【図面の簡単な説明】
【００２６】
【図１】本願発明の実施の形態にかかる斜め補強部材用取付金具を用いたぶどう棚形式の天井下地構造を示す全体斜視図である。
【図２】本願発明の実施の形態にかかる斜め補強部材用取付金具の取付状態（図１のＡ部）を示す拡大斜視図である。
【図３】本願発明の実施の形態にかかる斜め補強部材用取付金具を構成するフック部材の拡大斜視図である。
【図４】本願発明の実施の形態にかかる斜め補強部材用取付金具を構成する操作部材の拡大斜視図である。
【図５】本願発明の実施の形態にかかる斜め補強部材用取付金具を構成する連係部材の拡大斜視図である。
【図６】本願発明の実施の形態にかかる斜め補強部材用取付金具に用いられる支持部材の拡大斜視図である。
【図７】本願発明の実施の形態にかかる斜め補強部材用取付金具の下端部の結合構造を示す拡大斜視図である。
【図８】本願発明の実施の形態にかかる斜め補強部材用取付金具の取付前の状態を示す拡大斜視図である。
【発明を実施するための形態】
【００２７】
図１ないし図８には、本願発明の実施の形態にかかる斜め補強部材用取付金具を用いたぶどう棚形式の天井下地構造が示されている。
【００２８】
図１において、符号１は建屋の天井側に設けられるスラブ、２はスラブ１に懸垂された吊りボルト、３は吊りボルト２に後述するハンガー部材１６（図７参照）を介して吊架された天井板材保持用の下地材であり、本実施の形態においては、この下地材３は、所定間隔で平行に並ぶ多数の野縁３ａ，３ａ・・と該野縁３ａ，３ａ・・の下側において該野縁３ａ，３ａ・・に直交して所定間隔で平行に並ぶ多数の野縁受け３ｂ，３ｂ・・とからなっており、上記野縁３ａおよび野縁受け３ｂは、断面略コ字状の溝形鋼であるＣチャンネルが適用されている。また、符号４は吊りボルト２とＣチャンネル３ｂとの間を連結補強するための斜め補強部材として作用するブレース材である。そして、本実施の形態にかかる斜め補強部材用取付金具Ｔは、ブレース材４の上端部を取り付けるために使用される。
【００２９】
そして、本実施の形態にかかる斜め補強部材用取付金具Ｔは、図２に示すように、上記吊りボルト２の上端部に当該吊りボルト２を抱え込むように掛止されるとともに内面に吊りボルト２が螺合される内ネジ１１ｂ（図３参照）を形成してなる掛止部１１ａを備えたフック部材１１と、上記斜め補強部材として作用するブレース材４の適所に一端が螺合されるネジ部１２ａと該ネジ部１２ａの他端側にあってピンまたはボルト１２ｃが取り付けられた操作部１２ｂとからなる操作部材１２と、上記フック部材１１における平板部１１ｃ（図３参照）に沿って上下動自在とされ且つ側面に上記操作部１２ｂのピンまたはボルト１２ｃを挿通ガイドする切欠穴１３ａを有する連係部材１３とによって構成されている。
【００３０】
上記フック部材１１は、図３に示すように、掛止部１１ａを除いて略全体が平板部１１ｃとなっており、該平板部１１ｃには、上記連係部材１３における端面に形成されたガイド面１３ｂ（図５参照）を上下動時に案内ガイドする角状突部１１ｄおよび円形突起１１ｅが一体に突設されている。符号１１ｆは、上記操作部材１２における操作部１２ｂのピンまたはボルト１２ｃの一端を挿通するピン穴またはボルト穴である。
【００３１】
また、上記操作部材１２は、図４に示すように、ブレース材４の適所（即ち、上端部）に取り付けられたコ字状の支持部材１４（図６参照）における相対向する２辺に形成された穴１４ａ，１４ａに挿通されるネジ部１２ａと該ネジ部１２ａの他端側にあってピンまたはボルト１２ｃが挿通される穴１２ｄが形成された平板状の操作部１２ｂとからなっている。符号１４ｂは、支持部材における相対向する２辺に形成された穴１４ａ，１４ａの一方側の口縁に取り付けられたナットであり、該ナット１４ｂに対して操作部材１２のネジ部１２ａが螺合されることとなっている。また、符号１４ｃは、この支持部材１４をブレース材４に固定するビス１４ｄが挿通されるビス穴である。
【００３２】
さらに、上記連係部材１３は、図５に示すように、上記吊りボルト２の外周に圧接される連結部１３ａを介して連結された一対の板状部材１３ｂ，１３ｂからなっており、この板状部材１３ｂ，１３ｂには、上記操作部１２ｂのピンまたはボルト１２ｃを挿通ガイドするＬ字状の切欠穴１３ｃ，１３ｃがそれぞれ形成されている。上記板状部材１３ｂ，１３ｂの一方側（即ち、上記フック部材１１の平板部１１ｃ側に位置する板状部材１３ｂ）には、上記連係部材１３の上動時に上記フック部材１１における円形突起１１ｅが嵌挿される切欠部１３ｄが形成されている。また、上記連係部材１３における板状部材１３ｂ，１３ｂの上端には、連係部材１３の上動限において上記スラブ１の下面に圧接される水平部１３ｅ，１３ｅが一体に突設されている。該水平部１３ｅ，１３ｅの外端部は、圧接時に弾力性が得られるように上向きに湾曲されている。このようにすると、ブレース材４を取り付けたとき、水平部１３ｅ，１３ｅがスラブ１の下面に完全に密着することとなり、地震発生時等における上下および水平方向への揺れに対して揺れにくくなる。しかも、水平部１３ｅ，１３ｅの外端部を上向きに湾曲させたことにより、圧接時に弾力性が得られることとなり、スラブ１の下面にさらに密着しやすくなる。
【００３３】
ところで、上記斜め補強部材４の下端部は、図７に示すように、野縁受け３ｂに対してビス１５，１５を用いて固定されている。図７において、符号１６は吊りボルト２の下端を野縁受け３ｂに支持するためのハンガー部材、１７は野縁３ａと野縁受け３ｂとの交差部において両者を結合するために用いられるクリップ部材である。
【００３４】
上記のように構成したことにより、本実施の形態においては、図８に示すセット前の状態から操作部材１２をピンまたはボルト１２ｃが切欠穴１３ｃ，１３ｃに沿うようにして上方に移動させることにより、斜め補強部材４の傾斜角度の設定と、フック部材１１における掛止部１１ａの吊りボルト２への掛止とを連動して行い得ることとなり、作業性が著しく向上する。しかも、上記掛止部１１ａには、吊りボルト２が螺合する内ネジ１１ｂが形成されているので、フック部材１１が吊りボルト２から不用意に脱落するということがなくなる。また、フック部材１１における反掛止部側に、連係部材１３をその上下動時にガイドする円形突起１１ｅを形成しているので、連係部材１３における板状部材１３ｂ．１３ｂの端面がフック部材１１における角状突部１１ｄおよび円形突起１１ｅにガイドされて、正確な動きをすることとなり、斜め補強部材４の傾斜角度の設定作業と、フック部材１１への吊りボルト２の掛止作業とをより一層確実に行うことができる。つまり、角状突部１１ｄおよび円形突起１１ｅが切欠穴１３ｃを補完することとなるのである。さらに、連係部材１３の上端に、斜め補強部材４の傾斜角度の設定時およびフック部材１１への吊りボルト２の掛止時に上記スラブ１の下面に圧接される水平部１３ｅが一体に形成されているので、斜め補強部材４の傾斜角度の設定時およびフック部材１１の吊りボルト２への掛止時に、連係部材１３の上端に形成された水平部１３ｅがスラブ１の下面に圧接されることとなり、上下および水平の地震の揺れに対して揺れにくくなって耐震性能が向上する。
【００３５】
なお、本願発明は、上記実施の形態において説明したものに限定されるものではなく、発明の要旨を逸脱しない範囲において適宜設計変更可能なことは勿論である。
【符号の説明】
【００３６】
１はスラブ
２は吊りボルト
３は下地材
４は斜め補強部材
１１はフック部材
１１ａは掛止部
１１ｂは内ネジ
１１ｃは平板部
１１ｄは角状突部
１１ｅは円形突起
１２は操作部材
１２ａはネジ部
１２ｂは操作部
１２ｃはピンまたはボルト
１３は連係部材
１３ａは連結部
１３ｂは板状部材
１３ｃは切欠穴
１３ｅは水平部
Ｔは斜め補強部材用取付金具
【図１】
2015212503.tif 000003
【図２】
2015212503.tif 000004
【図３】
2015212503.tif 000005
【図４】
2015212503.tif 000006
【図５】
2015212503.tif 000007
【図６】
2015212503.tif 000008
【図７】
2015212503.tif 000009
【図８】
2015212503.tif 000010